(57)【特許請求の範囲】
【請求項１】
井戸水を水中ポンプにより原水槽に移送し、薬品タンクから薬注ポンプにより薬品注入した後、送水ポンプにて通水し砂濾過装置で濾過し、次いで精密膜濾過装置にて膜濾過し、得られる飲料水レベルの品質とした高度処理水を、優先して単独に供給するか、或いは共用する他の飲料可能な上水としての市水と複合して供給する浄化水供給装置において、該装置内の該高度処理水又は複合水の供給経路に設けた、該高度処理水を優先とし、更に必要に応じ市水を複合して貯留する少なくとも一つの貯溜源より供給する用水の水質を飲料水基準に維持管理するために、前記貯溜源にセンサを設け、該センサの異常感知時には該貯溜源内の滞留水を前記原水槽に戻水し再処理することを特徴とする供給浄化水の水質管理方法。
【請求項２】
該貯溜源の残留塩素を検出して水質指標とすることを特徴とする請求項１記載の供給浄化水の水質管理方法。
【請求項３】
該貯溜源の滞留水を、タイマー設定によりコントロールして一定時間毎に前記原水槽に戻水することで飲料水基準に維持管理することを特徴とする請求項１又は２記載の供給浄化水の水質管理方法。
【発明の詳細な説明】
【０００１】
【発明の属する技術分野】
本発明は、汚濁物質を含む湖沼や河川或いは井戸水又は工業用水等を高度処理をして安全で飲料可能な浄化水或いはこれと混合する他の飲料可能な上水（市水）を、少なくとも一つの槽内に貯溜し、送水に際し経路内の少なくとも一つの貯溜源の水質を常時飲料水として要求される水質レベルに維持する供給浄化水の水質管理方法並びにその装置に関する。
【０００２】
【従来の技術】
近年、飲料に供する水処理工程では原水から目的の処理水を得るに際し、各種原水の性状に応じ必要な各種の処理工程が採用され高度処理が施されている。
特に、塩素で滅菌処理がなされた水道水についても、更に高度処理を行いその水の有用性を高める処理も行われている。この様に一旦高度処理を施した水或いは上水も長時間貯留する場合には、その後の水質状態変化を引き続き監視し十分な水質管理を必要とする。
特に、使用頻度の不確かな配水系では、滞留中に貯留源水の水質が変化し長時間には供給飲料水としての水質が部分的に低下する懸念がある。
【０００３】
例えば、収容人人の大きい共同住宅などでは建築基準法に基づき、大量に消費される市水に対処し基準量として一日使用分の貯水量が規定されている。ところが、市水及び／又は市水以外の飲料水を混合可能な供給水系下、特に飲料可能な処理水を優先的に使用する配水体制下では、各区分住宅などに供給する配水管理とし、水の消費末端に至るまで安全供給に意を尽くさねばならない。
【０００４】
このようなトラブルの回避策として、貯留源の水質監視に一括して残塩濃度計などにより貯留タンク内の水質を人為的に監視されている場合も有るが、抜本的な施策として行われていない。せいぜい異常事態が発見時、その都度貯留タンク内並びに配管内の滞留水を全量排水する等の方策が行われているに過ぎない。
しかしながら、この様な方法のみでは確実な対策とならず、人為的なミスの完全回避策としても現状の配水実情に照し不完全であり、より確実で合理的な管理対策が求められている。
【０００５】
【発明が解決しようとする課題】
以上の様な状況を対象に、本発明では既に稼動中の配水設備にも適応出来、且つ新規な設備に対応可能な方式を提供することを目的とした。本願方式によれば、飲料水レベルの品質を有する高度処理水を単独に、或いは必要に応じ自治体などによる市水などを混合した飲料水の拡大供給方式を対象とする如き、広範囲の飲料水を各種需要箇所に配管供給する際に有用で、常時安全に水質を監視出来るように改善するものである。
【０００６】
【課題を解決するための手段】
本発明者等は、このような観点から上記目的を達成するため鋭意研究し、単位時間当り需要水量に差異が生じる複合飲料水供給系で、その経路に貯溜水を有する場合に於いて、常時活性状態で水質指標を堅持すれば水質を飲料水のレベルに維持出来る水質管理方法を見出し本発明に到達した。特に、人為的に製水する高度処理水を優先供給とした市水との複合系水源では、末端の供給蛇口までの供給水質を、精密に管理する必要性が高い。
【０００７】
即ち、本発明の概要とするところは、湖水や河川或いは水井戸水又は工業用水等を飲料水レベルの品質とした少なくとも一種の高度処理水を、優先して単独に供給するか、或いは共用する市水と複合して供給するに際し、該高度処理水又は複合水の供給経路に設けた少なくとも一つの貯溜源より供給する用水の水質を飲料水基準に維持管理することを特徴とする供給浄化水の水質管理方法並びにその装置にある。
【０００８】
ここに少なくとも一種の高度処理水とは、地下水や伏流水或いは工業用水などの飲料水製造可能な水源を供給元とし、これらの原水を処理して得る処理水で飲料水レベルの品質としたものを広く指すものである。また、更に共用する市水とは必要に応じ自治体などにより供給される飲料水などを言い、飲料水として混合使用可能な水を指称する。
【０００９】
これらの飲料水を各種需要箇所に配管供給するには、特に制限は無く通常の配管方式による。
ただし、本発明を実施するにはその代表的手法として、各送水配管に供給する用水の貯溜源である貯留タンク内に、各種のセンサー並びにこのセンサーに基づく作動拠点を設ける事が必要である。これを基に経路内水質をコントロールするもので、取り付けるセンサーの種類及びコントロール方法に特別な制限はない。
【００１０】
本発明に於いて、貯溜源として機能する貯留タンク内の水質を飲料基準レベルに維持管理するには、各種の方法が採用できる。
代表的な手法では、該貯留タンクの水中に残留塩素計を設置し、管理範囲を設定し其の残留塩素濃度を連続して検出し水質をコントロールする方式、或いは残留塩素計に代え酸化還元電位を検出して残留塩素量を検量しコントロールする方式、更にはタイマーを組み込み一定時間経過毎に管内の残留水を全量換水するか、或いは再処理する方式などが有る。
【００１１】
本発明で言う水質をコントロールするには、対象とする水域の水を廃棄する場合も含めるが、好ましくは安全に再利用するために適切な水質チェックを行い合理的に再生するもので、場合により簡単な濾過ユニットで再処理する事により容易に達成出来、安全な省資源方策としても極めて有効である。
【００１２】
ここに言う水質再生の濾過ユニットとして、各種精密濾過方式が採用出来るが、その際使用する微細孔濾過膜を主体とした濾材を示すと次の通りで有る。
濾過膜の代表として有機膜では、ポリスルホン、ポリエチレン、ポリプロピレン、ポリアクリロニトリルなどの素材を使用し、０．０５ないし０．３ミクロンの微細孔を有する各種中空糸膜やメンブレン膜などである。
【００１３】
更に、必要に応じ製水された後、飲料水が一時滞留するクッションタンクや貯留タンク内に低圧水銀ランプなどを設けて紫外線を照射する方法、オゾンや二酸化塩素による殺菌方法などを補助手段として併用することも可能で、場合により活性炭吸着システムを併設することも本願の対象となる。
【００１４】
【発明の実施の形態】
以上に述べた本発明の供給浄化水の水質管理方法を、その代表例の構成を示すと図１のとおりである。
図１は、井戸より地下水を汲み上げ、高度処理して本発明で対象とする貯留タンクに至る経路と該経路に於ける本発明の水質管理の例を示すものである。
【００１５】
井戸Ｗより水中ポンプＰ１にて汲み上げ先ず原水タンクＢに着水し、ここで薬品タンクＡにある次亜塩素酸ソーダの６％溶液を薬注ポンプＰ２にて滴下した後、濾過送水ポンプＰ３にて砂濾過装置Ｃと精密濾過装置Ｄに圧送される。
ここで製水された濾過水は、クッションタンクＥにて一時滞留する。その後、送水ポンプＰ４にて貯留タンクＦに移送され、配水ポンプＰ６にて需要ライン▲２▼にて送水される。クッションタンクＥ、貯留タンクＦにはそれぞれライン▲１▼にて上水が供給されるが、通常上水のバルブにて閉じられて居り、地下水よりの高度処理水が優先的に活用される。
【００１６】
図１に於いて、精密濾過装置Ｄは濾過精度０．１ミクロンの機能を有する中空糸膜で構成されたものである。クッションタンクＥ、貯留タンクＦに設けられたセンサーＭ１及びＭ２はいずれも残留塩素計が取り付けられている。
これらセンサーが感知した場合には、クッションタンクＥでは戻送ポンプＰ５により原水タンクＢに送水される。また、貯留タンクＦにおいてセンサーが感知した場合には配水ポンプＰ６によりバルブ切り替えにより貯留タンクＦに送水される。自動的に制御する場合には、電磁バルブとシーケンサーにより容易にセットすることが出来る。
【００１７】
以下実施例にて本発明を説明する。
【実施例】
実施例１
図１に示す例では、Ｍ１及びＭ２で示す各タンクに、残留塩素計として笠原理化工業株式会社製、無試薬型ポーラロ式遊離残留塩素計ＲＣ−３０１Ｚを取り付けた。
クッションタンクＥでは、供給時の水質としてはｐＨ値が７．８、残留塩素量が０．６ｍｇ／Ｌを、また貯留タンクＦではｐＨ値が７．７、残留塩素量が０．６ｍｇ／Ｌ示した。
【００１８】
テスト設定として、残留塩素の設定を下限塩素濃度０．２ｍｇ／Ｌとして静置した所、夫々経過約９時間前後に下限の塩素濃度を感知しアラームが作動したのでその都度、夫々のポンプＰ５、Ｐ６を手動にて作動させ原水タンクＢに移動した。工業的には、レベルスイッチと電磁バルブを用いてシーケンサーにてプログラム制御が可能で、自動運転による無人管理が可能である旨確認出来た。
因みに、テストに於ける移動時の管内水を測定すると、クッションタンクＥではｐＨ値が８．０、残留塩素量が０．１９ｍｇ／Ｌ、貯留タンクＦではｐＨ値が７．９、残留塩素量が０．２ｍｇ／Ｌで設定どおりの管理が出来た。
これらの結果を通じ、本発明の目的を達成出来たことを確認した。
【００１９】
上記の実施例では、残留塩素計を使用した例を示したが、酸化還元電位計を用いて残留塩素濃度と検量を活用しても同様に貯留タンクの水質をコントロールすることが出来る。また、タイマーをセットして一定時間毎に自動的に再生処理をすることが出来る。
【００２０】
本発明の第一の特徴は、地下水そのもの或いはこれを高度処理した飲料水などと市水を混合し、処理水を優先して飲料水とする系の供給施設に於いて、その配水に際し貯留中の飲料水レベルをチェックして末端蛇口に常に水質を安全に維持した状態下に供給する点にある。
【００２１】
本発明の第二の特徴は、貯留源の貯留タンクの消費が変化して緩やかな場合でも、例えば高層の共用住宅などの事情に対処出来、飲料水の消費水量の差異が有っても飲料水に対する水質の信頼性を高揚できる点にある。
【００２２】
【発明の効果】
本発明は、従来完全に着目されていない一旦製水された後に滞留する貯留タンク内の飲料水々質を安全に維持するもので、人の健康面に関係する飲料水の基本的な条件を堅持出来る点で極めて有用な発明である。
製水された飲料水は、常時安全で確実に水栓蛇口より供給されることが求められる中で、本発明の効用は工業的に著大であると確信する。
【図面の簡単な説明】
【図１】本発明の実施例で、供給浄化水の水質管理の全体を一例として模式的に表した図である。
【符号の説明】
Ａ    薬品タンク
Ｂ    原水タンク
Ｃ    砂濾過装置
Ｄ    精密濾過装置
Ｅ    クッションタンク
Ｆ    貯留タンク
Ｗ    井戸
Ｐ１  水中ポンプ
Ｐ２  薬注ポンプ
Ｐ３  濾過送水ポンプ
Ｐ４  送水ポンプ
Ｐ５  戻送ポンプ
Ｐ６  配水ポンプ
▲１▼  市水ライン
【図１】
0004341003.tif 000002